Podtech/llm-jp-corpus-v4-ja_patent huggingface dataset:
(57)【特許請求の範囲】
【請求項１】
丸鋼及び丸鋼保持具を内部に保持する深めに形成したクラブヘッドにおいて、クラブヘッド底部とフェース部裏面との間を移動可能な丸鋼と、クラブヘッドの底部に設けられたリング状の丸座と、フェースの中心直下を基準にして丸座内周に等間隔で取り付けられた複数の丸鋼保持具とからなる構造に、丸鋼保持具の上部を内側に向けて凸状の係止を形成し、上部は外側に曲げ、該丸鋼保持具に、上部をやや小径に形成した丸鋼を挿入して係止し、丸鋼の前面にはフェース面と同形の打撃板を圧着したことを特徴とする超高反発ゴルフクラブヘッド。
【発明の詳細な説明】
【技術分野】
【０００１】  ゴルフボールの飛距離を飛躍的に延ばした超高反発ゴルフクラブヘッドに関する。
【背景技術】
【０００２】  超高反発ゴルフクラヘッドは各種あるが、ボールを打った時の反発力は今一つ不足気味である。
【発明の概要】
【発明が解決しようとする課題】
【０００３】  本発明は、上記の不足気味の反発力を強化するようにしたものである。
【課題を解決するための手段】
【０００４】  クラブヘッドを深めに形成し、また、丸座の内周に等間隔で数本の丸鋼保持具を立ち上げ、該上部を内側に向けて、凸状の係止を形成し、上部は外側に向けて曲げ、該丸鋼保持具をクラブヘッドの底にフェイスの中心直下を基点にして取り付けてなる以上の丸鋼保持具に、上部をやや小径に形成した丸鋼を挿入して係止で保持し、丸鋼の前面にはフェース面と同形の打撃板を圧着したものである。
なお、フェース正面が、円状または楕円状の時、または、それ以外の面の時は、打撃板を各の形状に合せて形成して圧着する。また、打撃板と丸鋼を弾性体を加工して一体に形成してもよい。
【発明の効果】
【０００５】  本発明は、上記のように構成したので、ボールを打った瞬間、フェースとシャフトを含むヘッド全体の反発力に、丸鋼付きの打撃板が飛び出して、フェースに当る衝突圧が加はり、両者が合成されて強大な反発力になるので、ボールを遠くへ飛ばすことができる。
また、この時、打撃板は丸鋼付きのため、フェースへの打撃力は強く、またフェースに接する部分が広いので、中心を外れて打っても、フェースの正面で打ったと同様の作用をし、思い通りの方向に飛ばすことができる。
したがって打ちやすく、打率を向上することができる。
プレー後は、フェースを上に向ければ、丸鋼は元に戻るので、直ぐ、次のプレーをすることができる。
また、以上の効果から、体力が落ちたり、練習不足の場合でも、遠くへ飛ばすことができる。
なお、丸鋼は保持具で保持されているので、ボールを打った時、打撃板はフェースに向って直進し、フェースに効果的に作用する。
【図面の簡単な説明】
【０００６】
【図１】  図２の線Ａ−Ａの横断平面図
【図２】  図１の正面図
【発明を実施するための形態】
【０００７】  図において、クラブヘッドを深めに形成している。１は丸鋼保持具で、丸座２に立ち上げて形成している。３は丸鋼保持具１の上部を内側に向けて形成した凸状の係止で、上部は外側に向けて曲げ、然る後、該丸鋼保持具１をクラブヘッドの底に、フェースの中心線直下を基点にして取り付けている。
本発明は、以上の丸鋼保持具１に打撃板５を取り付けた丸鋼４を挿入している。
すなわち、上部をやや小径に形成した丸鋼４を丸鋼保持具１に挿入して係止し、丸鋼４の前面には、フェース面の形状に合せて形成した打撃板５を圧着している。
なお、以上の丸鋼保持具１と打撃板５は弾力性に富み、強じん性のバネ材を使用する。
以上本発明の形態を説明したが、本発明に他の反発技術を併用すれば、飛距離を更に延ばすことができる。
【符号の説明】
【０００８】  １  丸鋼保持具
２  丸座
３  係止
４  丸鋼
５  打撃板
【要約】
【課題】  ゴルフクラブの超高反発ヘッドは各種あるが、ボールを打った時の反発力は今一つ不足気味である。
【解決手段】  クラブヘッド内に丸鋼付きの打撃板を内蔵した。
これにより、ボールを打った瞬間、フェースとシャフトを含む全体の反発力に、クラブヘッド内の丸鋼付き打撃板が飛び出して、フェースに当る、強大な衝突圧も加はり、両者が合体して強大な反発力になるので、ボールを遠くへ飛ばすことができる。
特に、打撃板は丸鋼付きのため、フェースへの打撃力は強く、また、フェースに接する部分が広いので、中心を外れて打っても、フェースの正面で打ったと同様の作用をし、思い通りの方向に飛ばすことができる。
したがって打ちやすく、打率を向上することができ、体力が落ちたり、練習不足の場合でも遠くへ飛ばすことができる。
【選択図】図１【図１】
0006010246.tif 000002
【図２】
0006010246.tif 000003
(57)【特許請求の範囲】
【請求項１】
粉状のセラミックと一価のAgイオンを含む粉状の水溶性ガラスとの混合物の焼成物で構成されていることを特徴とする抗菌性セラミック体。
【請求項２】
請求項１に記載した抗菌性セラミック体において、
前記一価のAgイオンを含む粉状の水溶性ガラスは、
水溶性ガラスの粉状物、Ag粉体および銀化合物で構成されていることを特徴とする抗菌性セラミック体。
【請求項３】
請求項１または請求項２に記載した抗菌性セラミック体において、
前記混合物は、球体であることを特徴とする抗菌性セラミック体。
【請求項４】
粉状のセラミックに、一価のAgイオンを含む粉状の水溶性ガラスの粉状物を混合して混合物を得る工程と、
前記混合物を焼成する工程とを含むことを特徴とする抗菌性セラミック体の製造方法。
【請求項５】
請求項４に記載した抗菌性セラミック体の製造方法において、
前記混合物を得る工程は、前記混合物を球状に成形することを特徴とする抗菌性セラミック体の製造方法。
【請求項６】
請求項４または請求項５に記載の抗菌性セラミック体の製造方法において、
前記混合物を得る工程は、
水溶性ガラスの粉状物にAg粉体，銀化合物を混合することを特徴とする抗菌性セラミック体の製造方法。
【請求項７】
請求項４ないし請求項６のうちのいずれか１つに記載した抗菌性セラミック体の製造方法において、
前記混合物を焼成する工程は、
加熱した前記混合物を徐冷することを特徴とする抗菌性セラミック体の製造方法。
【発明の詳細な説明】
【技術分野】
【０００１】
この発明は抗菌性セラミック体に関し、主として、球状に成形され、水の殺菌・浄化に使用される。
【背景技術】
【０００２】
従来におけるこの種の抗菌性セラミック体としては、セラミックスにAgの水溶性金属塩を吸着保持させた後、８００℃以上の温度で焼成したものが知られており、熱に強いとともに分散性が良いため広範囲な分野に使用でき、また、金属イオンの溶出がないため、安全性を特に必要とする分野に使用できるものとされている。
【０００３】
【特許文献１】特許２７６２４２３号公報
【発明の開示】
【発明が解決しようとする課題】
【０００４】
しかしながら、かかる従来の抗菌性セラミック体にあっては、８００度以上で焼成していたため、Agが酸化物になってイオン化しにくく、又、セラミックにAgイオンの水溶性金属塩を吸着保持させたにすぎないため、Agイオンを均一に溶出しにくいため、抗菌効果が乏しいとともに一定の割合で抗菌効果を発揮しにくいという不都合を有した。
【０００５】
この発明の課題は前記不都合を解消することである。
【課題を解決するための手段】
【０００６】
この課題を達成するために、この発明に係る抗菌性セラミック体においては、セラミックに、一価のAgイオンを含む水溶性ガラスの粉状物を混合し、焼成したことを特徴とするものである。
【０００７】
この場合、前記混合した後、球状に成形後、焼成することができる。
【０００８】
また、前記焼成は、６００〜８００度Cで行うことができる。
【０００９】
さらに、前記セラミックには、アルミナ又はシリカが該当する。
【００１０】
さらに、前記一価のAgイオンを含む水溶性ガラスの粉状物は、水溶性ガラスの粉状物にAg粉体，銀化合物を混合することによって製造することができる。
【発明の効果】
【００１１】
この発明に係る抗菌性セラミック体は上記のように構成されているため、即ち、セラミックに、一価のAgイオンを含む水溶性ガラスの粉状物を混合し、焼成したものであるため、Agイオンが水溶性ガラスを介してセラミックに混合され、アモルファスの状態でセラミック中に満遍なく混ざるものである。このため、一定の割合で抗菌効果を発揮するにあたってAgイオンの量が少なくてすむ。
【００１２】
また、Agイオンが水溶性ガラスを介してセラミックに混合されているため、接触した液体（湿気）によってガラス成分を溶出し、Agイオンがこのガラスの溶解に応じて徐々に抗菌力を発揮する。長期にわたって、均一の割合で殺菌効果を発揮できる。
【００１３】
よって、この抗菌性セラミック体を使用すれば、抗菌効果が優れているとともに一定の割合で長期にわたって抗菌効果を維持することができる。
【００１４】
さらに、６００〜８００度Cで焼成しているため、Agイオンが遊離しやすく殺菌効果が向上する。
【００１５】
また、セラミックはポーラス状であるため、ガラス成分がこのポーラスに侵入し、その付着力が強固になるため、Agイオンによる殺菌効果も長期にわたって維持することができる。
【００１６】
なお。抗菌、殺菌効果は表１に示す。
【発明を実施するための最良の形態】
【００１７】
この発明に係る「抗菌性セラミック」において、「セラミック」は粉状であり、アルミナ、シリカ又はこれらの混合物が該当する。
【００１８】
「一価のAgイオンを含む水溶性ガラスの粉状物」は、水溶性ガラスの粉状物（２００メッシュ以下）に一価のAg粉体，一価の銀化合物を混合したものである。
【００１９】
「焼成温度」は６００〜８００度Cが適している。この理由は６００度以下であると球体が壊れ易く、８００度以上であるとＡｇイオンの機能が低下するからである。
【００２０】
「球状に成形」する場合、大きさは直径６．０ｍｍ位が適している。
【００２１】
「Ag」以外に、Pt，Ge，Ti等を少量（5.0％位）添加することもできる。
【実施例１】
【００２２】
アルミナ調整品をコアとし、１０パーセンン程度のＡｇイオンを含む水溶性ガラスの粉体に、セラミックの主原料として１．０パーセント以下のバインダーを含むアルミナ９０パーセントを７５０°Cで除熱・除冷することによりボール状に成型（直径６．０ｍｍ位）する。
【００２３】
この実施例で製造した抗菌性セラミックボール（抗菌性セラミック体）の抗菌試験を次のように行った。
a.  試料名  
・精製水（比較対照液）
・抗菌性セラミックボール（Ag１）
（銀コーティング量1.2ｇ）
・抗菌性セラミックボール（Ag２）
（銀コーティング量2.4ｇ）
・抗菌性セラミックボール（Ag３）
（銀コーティング量3.6ｇ）
b.試験項目    E.coli（大腸菌）
c.試験方法
・標準平板培養法
(1).試験品20gをコニカルビーカーに入れ高圧蒸気滅菌したのち、滅菌精製水100mlを加えたものを試料とする。
(2).E.coli培養液（Bio Ball E.coliをSCDブイヨンで増菌）を滅菌精製水で希釈し、1×108cfu/mlの菌液を調製する。
(3).(1)で作成した試料に菌液を1mlずつ接種する（菌濃度１×104cfu/ml）。
(4).36°Cで振とうし、３時間後、７時間後、24時間後の菌数を標準平板培養法にて測定する。
ｄ.試験結果
【００２４】
【表１】
0006010834.tif 000002
【産業上の利用可能性】
【００２５】
この発明に係る抗菌性セラミック体は、Agイオンが水溶性ガラスを介してセラミックに混合されているため、接触した液体（湿気）によってガラス成分を溶出し、Agイオンがこのガラスの溶解に応じて徐々に抗菌力を発揮する。長期にわたって、均一の割合で殺菌効果を発揮できる。産業上の利用可能性は極めて高いものである。
(57)【特許請求の範囲】
【請求項１】
上面に押し操作可能なボタン類を備え、上面に貼着される可撓性を有した１枚のシートで上面およびボタン類を覆うことにより上面の水密性を担保した浴室用リモコンにおいて、上記シートと上面との粘着力のうち、シートの周縁部の粘着力より周縁部の内側の粘着力を弱くし、リモコン内部の空気の膨張により、この内側部分が上面から剥がれ内部空気の圧力上昇を緩和するようにしたことを特徴とする浴室用リモコン。
【請求項２】
上記内部空気が収縮すると、一旦剥がれた内側部分が上面に再接着されることを特徴とする請求項１に記載の浴室用リモコン。
【発明の詳細な説明】
【技術分野】
【０００１】
本発明は、例えば浴室テレビなどの浴室用機器の操作を行うため、浴室内で使用される浴室用リモコンに関する。
【背景技術】
【０００２】
近年浴室内にテレビ装置を設け、入浴しながらテレビを鑑賞する場合がある。また、浴室内にスピーカを設け、音響装置によってスピーカから音楽を浴室内に流すことも行われている。このような浴室用のテレビ装置や音響装置の操作は、入浴者が入浴した姿勢でも行うことができるように、無線式のリモコンが用いられる。
【０００３】
このような浴室用のリモコンはリモコン内に湯水が浸入しないように防水構造が採用される。但し、操作するためのボタン類は押し下げることができるように可動自在に設ける必要があるが、可動自在に設けると、その可動するボタン類とケースとの間に隙間を設ける必要があり、水密性が損なわれる。
【０００４】
そこで、浴室用のリモコンの表面にボタン類を可動自在に配列し、その上からボタン類を覆うように薄いシートを貼着する構造が採用される（例えば、特許文献１参照）。この構造では、リモコンに温水が掛かる等によりリモコン内部の温度が上昇し内部の空気が膨張すると、ボタン類を覆っているシートの裏面に内部空気の圧力が作用してシートを浮き上がらせようとする。そのため、ボタン類を覆っている部分以外の部分、すなわち、リモコン本体の上面のほぼ全域にわたって強力な両面テープでシートを接着している。
【先行技術文献】
【特許文献】
【０００５】
【特許文献１】特開２００２−２８１５７５号公報（段落００１５、図２）
【発明の概要】
【発明が解決しようとする課題】
【０００６】
上記従来の浴室用リモコンでは、リモコン内部の空気の膨張によってシートが剥がれないように、両面テープを貼着する面積を広く確保する必要がある。特に、シートの周縁部分は剥がれにくくする必要があるので、リモコンのデザインは、ボタン類を設けたエリアの外側に両面テープのためのエリアを広く確保することになる。このため、リモコン自体が大型化し、機能上必要とされる大きさよりも大きくせざるを得ないという問題が生じる。
【０００７】
そこで本発明は、上記の問題点に鑑み、シートを貼着するための両面テープの糊代を可及的に狭くすることのできる浴室用リモコンを提供することを課題とする。
【課題を解決するための手段】
【０００８】
上記課題を解決するために本発明による浴室用リモコンは、上面に押し操作可能なボタン類を備え、上面に貼着される可撓性を有した１枚のシートで上面およびボタン類を覆うことにより上面の水密性を担保した浴室用リモコンにおいて、上記シートと上面との粘着力のうち、シートの周縁部の粘着力より周縁部の内側の粘着力を弱くし、リモコン内部の空気の膨張により、この内側部分が上面から剥がれ内部空気の圧力上昇を緩和するようにしたことを特徴とする。
【０００９】
上記浴室用リモコンはシートを貼着することにより水密性を確保しているので、浴室用リモコンの内部の空気が膨張して圧力が上昇すると、その内部圧力はシートを剥がす方向に作用する。内側部分の粘着力が弱く設定されているので内部圧力がある程度高くなると内側部分がリモコンの上面から剥がれて圧力上昇分を緩和し圧力を低下させる。なお、外側部分の粘着力は強いので、内側部分が剥がれて浮き上がっても外側部分は上面に貼着したままの状態を保持するので水密性が損なわれることはない。
【００１０】
なお、上記内部空気が収縮すると、一旦剥がれた内側部分が上面に再接着されることが望ましい。
【発明の効果】
【００１１】
以上の説明から明らかなように、本発明は、内側部分が剥がれることによりリモコン内部の圧力上昇を緩和するので、外側部分の糊代を従来の浴室用リモコンよりも狭く設定することができる。その結果、本発明による浴室リモコンは従来のものより小型化することができる。
【図面の簡単な説明】
【００１２】
【図１】本発明の一実施の形態の構成を示す図
【発明を実施するための形態】
【００１３】
図１を参照して、１は本発明による浴室用リモコンである。この浴室用リモコン１は本体２と、その本体２の上面に貼着されるシール３とで構成されている。本体２の上面には液晶表示部２１と各種操作をするための複数個のボタン類２２とが設けられている。一方、シート３には液晶表示部２１が露出するように開口部３１が設けられており、また、ボタン類２２を覆う突状部３２が設けられている。
【００１４】
ボタン類２２は押し込み操作ができるように本体２の上面との間に微小な隙間が形成されている。そのため、その隙間を通って本体２内に湯水が浸入しないようにする必要がある。シート３を本体２の上面に貼着するが、上面のうち、境界線Ｂより内側であってボタン類２２が設けられている内側部分Ｂｉｎと、境界線Ｂより外側であってこの内側部分Ｂｉｎを囲む外側部分Ｂｏｕｔとの粘着力を相違させることとした。
【００１５】
なお、ボタン類２２自体はシート３の下面に貼着させない。そのためボタン類２２を避けて内側部分Ｂｉｎの本体２の上面部分とシート３の下面とが相互に貼着するように両面テープを配設する。この内側部分Ｂｉｎに用いられる両面テープは上述のように外側部分Ｂｏｕｔの粘着力よりも弱い粘着力のものを使用するので、本体２内部の空気が膨張して圧力が上昇すると剥がれる。但し、本体２の内部が冷えて内部空気が収縮すると再びシート３の下面が本体２の上面の内側部分Ｂｉｎに貼着できるよう、再貼着できる両面テープを用いる。
【００１６】
これに対して外側部分Ｂｏｕｔに用いられる粘着テープは強力な粘着力を発揮して、本体２の内部圧力が上昇しても外側部分Ｂｏｕｔは剥がれない両面テープを用いる。
【００１７】
上記構成により、浴室用リモコン１が例えば湯船内の温水に接触し、あるいは温水シャワーが掛けられて本体２内部の空気が加熱され膨張しても、内側部分Ｂｉｎが剥がれて圧力上昇を緩和する。そのため、外側部分Ｂｏｕｔの面積が従来のものより狭くても外側部分Ｂｏｕｔの両面テープが剥がれることはない。従って、本発明による浴室リモコン１は従来のものより小型化することができる。
【００１８】
なお、本発明は上記した形態に限定されるものではなく、本発明の要旨を逸脱しない範囲内において種々の変更を加えてもかまわない。
【符号の説明】
【００１９】
１  浴室用リモコン
２  本体
３  シート
【図１】
0005927664.tif 000002
(57)【特許請求の範囲】
【請求項１】
傘の心棒となる軸柄と、
該軸柄の上部に回動可能に取り付けられた複数本の親骨と、
上記軸柄に沿って滑動する下ロクロと、
上記親骨の中間との間に、両端部が枢着される部材であって、該下ロクロを軸柄に沿って滑動させると、上記親骨を開閉せしめる受骨と、
編物生地からなる、ほぼ円形の１枚の編物シートであって、傘全体を覆うことができる形状と大きさからなると共に、上記親骨の上側から被装されて縫い付け固着され、上記親骨を開いた時に弾性的に伸長する張り布と、
上記張り布の周縁部に縁取り状に取り付けられて、上記張り布と共に弾性的に伸長する縁取りテープと、を備え、
前記縁取りテープは、編み物生地であり、
前記縁取りテープは、当該傘が開いときに当該傘の外周部に相当する前記張り布の周縁部に縫い付けられており、
前記縁取りテープの伸長弾性は、前記張り布の伸長弾性よりも大きい
ことを特徴とする傘。
【請求項２】
請求項１に記載の傘において、
前記張り布の外側表面に撥水処理を施した
ことを特徴とする傘。
【発明の詳細な説明】
【技術分野】
【０００１】
本発明は、傘に関し、特に日傘の張り布の構成に係るものである。
【背景技術】
【０００２】
従来、丸編地や経編地などのニット生地からなる基布の少なくとも片面にアルミニウム金属層を蒸着、接着あるいはコーチングし、該アルミニウム金属層の外面に更にウレタン系樹脂皮膜層を設けた張り布を使用した傘があった。
【先行技術文献】
【特許文献】
【０００３】
【特許文献１】特開平６−１３４９２９号公報
【発明の概要】
【発明が解決しようとする課題】
【０００４】
しかしながら、上記従来の傘の張り布は、ニット生地の表面にアルミニウム金属層を蒸着、接着あるいはコーチングし、該アルミニウム金属層の外面にウレタン系樹脂皮膜層を設けているため、ニット生地の特性である伸長性や弾性を十分に発揮させることはできなかった。
【課題を解決するための手段】
【０００５】
本発明は、上記従来の傘の問題点を解決するためになされたもので、その目的とするところは、数枚の長二等辺三角状に分割して、１枚ずつ隣接する骨間に縫いつけて張装するような手間と製作コストをかける必要もなく、１枚のほぼ円形の生地を使って骨に簡単に留めるだけで済み、しかも、ニット生地の欠点であるカット縁部の解れを効果的に防止することができる張り布を張装した傘を提供することにある。
【発明の効果】
【０００６】
本発明は、１枚の傘全体を覆うことができる形状と大きさの生地を使って親骨に簡単に留めるだけで済み、しかも、ニット生地の欠点であるカット縁部の解れを効果的に防止することができる張り布を張装した傘を提供することができる。
【図面の簡単な説明】
【０００７】
【図１】本発明の傘の一実施例を示す正面図である。
【図２】図１の傘の張り布のカット縁部の拡大図である。
【発明を実施するための形態】
【０００８】
図１において、１は軸柄、２は親骨、３は受骨、４は張り布である。
【０００９】
上記軸柄１は、傘の心棒となる部品であって、折り畳み傘では、伸縮自在に構成される。該軸柄１の下端部には、傘の持ち手となる手元１ａが取り付けられていると共に、先端部には石突１ｂが取り付けられている。
【００１０】
上記親骨２は、上記軸柄１の上部に設けられた上ロクロ１ｃに回動（開閉）可能に取り付けられている複数本の軽量で高度の靱性を有する部材である。
【００１１】
上記受骨３は、上記軸柄１に沿って滑動する下ロクロ１ｄと、上記親骨２の中間との間に、両端部が枢着されて、該下ロクロ１ｄを軸柄１に沿って滑動させると、上記親骨２が開閉するように構成されている。
【００１２】
上記張り布４は、ニット（編物）生地をベースとし、必要に応じて、少なくとも外側表面に撥水処理を施した、ほぼ円形の１枚の編物シートであって、上記親骨２の上（外）側から被せて適当な箇所を縫い付け固着している。
【００１３】
本発明の張り布４は、上記従来の傘の張り布のように、三角形状に裁断して隣接する親骨間に縫い付け張装する構成と異なり、上述のように、ほぼ円形に裁断して、その中心が上記上ロクロ１ｃが位置すると共に、その周縁部が適宜間隔を保って上記親骨２の先端部に固着されるように構成されている。なお、上ロクロが張り布の中心に位置しない、いわゆる偏心傘の場合には、張り布４の形状は偏楕円状となり、上ロクロの位置も偏心する。
【００１４】
要するに、張り布４は、編物生地からなる、ほぼ円形の１枚の編物シートであって、傘全体を覆うことができる形状と大きさからなると共に、上記親骨２の上側から被装されて縫い付け固着され、該親骨２を開いた時に弾性的に伸長するシート状のものであればいずれでもよい。
【００１５】
図２から明らかなように、上記張り布４の周縁部には、縁取りテープ４ａが融着、接着、縫い付け、されていて、上記周縁部の解れを防止し、補強処理している。該縁取りテープ４ａも、上記張り布４と同様に伸長性や弾性を有する。該縁取りテープ４ａの伸長性や弾性は、上記張り布４の伸長性や弾性と同じか、大きい。従って、傘を開いて張り布４が張った状態になろうとする際に、その張りの作用を妨げることがなく、傘を確実に張り開くことができる。なお、上記縁取りテープ４ａは、伸長性や弾性を有する生地であれば、上記張り布４のような編み物生地でなくてもよい。
【符号の説明】
【００１６】
１    軸柄
１ａ  手元
１ｂ  石突
１ｃ  上ロクロ
１ｄ  下ロクロ
２    親骨
３    受骨
４    張り布
４ａ  縁取りテープ
【図１】
0005927373.tif 000002
【図２】
0005927373.tif 000003